(57)【要約】【課題】長時間の駆動による表示輝度の劣化を回路上で改善して経済的に有利な構成で長時間に亘り安定した表示輝度特性を維持することのできる長寿命化を図った平面表示装置および表示装置の輝度制御方法を提供する。【解決手段】電源制御部６は平面表示装置の起動（パワーオン）時に於いて、表示パネル管理処理ルーチンを実行し、表示パネル１の累積駆動時間が更新時間に達していると判定すると、パネル管理テーブルから更新時間に対応して設定された補正電圧値を取得し、この補正電圧値をもとに表示パネル１に印加されるアノード電圧（ａｎｏｄｅ）を増加し、以後の表示パネル１に印加されるアノード電圧（ａｎｏｄｅ）を更新する。【選択図】図１
2006091787.tif 000002
【特許請求の範囲】
【請求項１】
複数の表示画素をマトリクス状に配置した表示パネルと、前記表示パネルに配置された複数の表示画素を走査線と信号線の駆動電圧および前記複数の表示画素に印加したアノード電圧により発光駆動させる駆動回路とを備えた平面表示装置に於いて、
前記表示パネルの駆動時間が予め設定された時間に達した際に前記アノード電圧を上げて前記表示パネルの輝度劣化を補償するパネル管理手段を具備したことを特徴とする平面表示装置。
【請求項２】
前記パネル管理手段は、
前記アノード電圧を更新する時間および前記アノード電圧の補正値を保持する保持手段と、
前記表示パネルの累積駆動時間を取得する取得手段と、
前記取得手段により取得した前記表示パネルの累積駆動時間が前記保持手段に保持した時間に達したことを判定する判定手段と、
前記判定手段の前記判定に従い前記保持した補正値をもとに前記アノード電圧を上げ、前記アノード電圧を更新する更新手段と
を具備したことを特徴とする請求項１記載の平面表示装置。
【請求項３】
前記保持手段は、前記アノード電圧を複数回に亘り更新するための時系列の複数の時間情報および補正値を保持した管理テーブルを有し、
前記判定手段は、前記管理テーブルから時間情報を取得して、前記表示パネルの累積駆動時間が前記管理テーブルから取得した時間情報が示す時間に達したことを判定し、
前記更新手段は、前記判定手段の前記判定に従い前記管理テーブルから補正値を取得して、当該取得した補正値をもとに前記アノード電圧を更新することを特徴とする請求項２記載の平面表示装置。
【請求項４】
前記判定手段は、前記表示パネルの駆動開始の都度、前記表示パネルの累積駆動時間と前記保持手段に保持した時間とを比較し、前記表示パネルの累積駆動時間が前記保持した時間と等しいとき若しくは前記保持した時間を超えているとき、前記表示パネルの累積駆動時間が前記アノード電圧を更新する時間に達したことを判定する請求項２または３記載の平面表示装置。
【請求項５】
前記取得手段は、前記表示パネルを用いる外部の装置から前記表示パネルの累積駆動時間を取得する請求項１または２記載の平面表示装置。
【請求項６】
前記取得手段は、前記表示パネルの駆動時間を累積し保持する計数手段を具備し、前記計数手段から前記表示パネルの累積駆動時間を取得する請求項１または２記載の平面表示装置。
【請求項７】
複数の表示画素をマトリクス状に配置した表示パネルと、前記表示パネルに配置された複数の表示画素を走査線と信号線の駆動電圧および前記複数の表示画素に印加したアノード電圧により発光駆動させる駆動回路とを備えた表示装置の輝度制御方法であって、
前記表示パネルの駆動時間が予め設定された時間に達したとき、前記アノード電圧を上げて前記表示パネルの輝度劣化を補償することを特徴とする表示装置の輝度制御方法。
【請求項８】
複数の表示画素をマトリクス状に配置した表示パネルと、前記表示パネルに配置された複数の表示画素を走査線と信号線の駆動電圧および前記複数の表示画素に印加したアノード電圧により発光駆動させる駆動回路とを備えた表示装置の輝度制御方法であって、
前記アノード電圧を更新する時間および前記アノード電圧の補正値を保持する手段と、
前記表示パネルの累積駆動時間を取得し、当該取得した前記表示パネルの累積駆動時間と前記保持した時間とを比較して、前記表示パネルの累積駆動時間が前記保持した時間に達したことを判定する手段と、
前記判定に従い前記保持した補正値をもとに前記アノード電圧を上げて前記表示パネルの輝度劣化を補償する手段と
を具備したことを特徴とする表示装置の輝度制御方法。
【発明の詳細な説明】
【技術分野】
【０００１】
本発明は、複数の表示画素をマトリクス状に配置した表示パネルと、前記表示パネルに配置された複数の表示画素を走査線と信号線の駆動電圧および前記複数の表示画素に印加したアノード電圧により発光駆動させる駆動回路とを備えた平面表示装置および表示装置の輝度制御方法に関する。
【背景技術】
【０００２】
近年、偏平な平面パネル構造の画像表示装置として、液晶ディスプレイ（ＬＣＤ）、フィールドエミッションディスプレイ（ＦＥＤ）、プラズマディスプレイ（ＰＤＰ）等が知られている。また、ＦＥＤの一種として、表面伝導型の電子放出素子を備えたＳＥＤ（Surface-conduction Electron-emitter Display）の開発が進められている。
【０００３】
ＳＥＤは、所定の隙間を置いて対向配置された前面基板および背面基板を有する。これらの基板は、矩形枠状の側壁を介して周縁部を互いに接合され、内部を真空にされて偏平な平面パネル構造の真空外囲器を構成している。前面基板の内面には３色（Ｒ，Ｇ，Ｂ）の蛍光体層を有する蛍光体スクリーンが設けられ、背面基板の内面には、蛍光体層を励起発光させる電子の放出源として、画素毎に対応する多数の電子放出素子が整列配置されている。また、背面基板の内面上には、電子放出素子を駆動するための多数本の配線がマトリックス状に設けられ、その端部は真空外囲器の外部に引き出されている。
【０００４】
このＳＥＤを動作させる場合は、基板間に１０［ｋＶ］程度の高電圧（アノード電圧）を与え、配線に接続した駆動回路を介して各電子放出素子に選択的に駆動電圧を印加することにより、各電子放出素子から選択的に電子ビームが放出され、これら電子ビームが、対応する蛍光体層に照射され、蛍光体層が励起発光されてカラー画像が表示されるようになっている。この際、電子放出素子１１の電子放出部から放出された電子ビームは、蛍光体スクリーン１２Ａのメタルバックに印加されたアノード電圧により加速され、蛍光体スクリーン１２Ａの対応する蛍光体層に衝突する。これにより、蛍光体スクリーン１２Ａの蛍光体層Ｒ、Ｇ、Ｂが励起されて発光し、カラー画像を表示する。
【特許文献１】特開２００２−２２１９３３号公報
【発明の開示】
【発明が解決しようとする課題】
【０００５】
ところで、上述のようなＳＥＤに於いては、長時間の駆動により表示輝度が劣化する。この表示輝度の劣化は、電子源となる電子放出素子、並びに蛍光体（蛍光体スクリーン）の劣化に起因する。
【０００６】
本発明の目的は、長時間の駆動による表示輝度の劣化を回路上で改善して経済的に有利な構成で長時間に亘り安定した表示輝度特性を維持することのできる長寿命化を図った平面表示装置および表示装置の輝度制御方法を提供することにある。
【課題を解決するための手段】
【０００７】
本発明によれば、複数の表示画素をマトリクス状に配置した表示パネルと、前記表示パネルに配置された複数の表示画素を走査線と信号線の駆動電圧および前記複数の表示画素に印加したアノード電圧により発光駆動させる駆動回路とを備えた平面表示装置に於いて、前記表示パネルの駆動時間が予め設定された時間に達した際に前記アノード電圧を上げて前記表示パネルの輝度劣化を補償するパネル管理手段を具備した平面表示装置が提供される。
【０００８】
さらに前記平面表示装置に於いて、前記パネル管理手段は、前記アノード電圧を更新する時間および前記アノード電圧の補正値を保持する保持手段と、前記表示パネルの累積駆動時間を取得する取得手段と、前記取得手段により取得した前記表示パネルの累積駆動時間が前記保持手段に保持した時間に達したことを判定する判定手段と、前記判定手段の前記判定に従い前記保持した補正値をもとに前記アノード電圧を上げ、前記アノード電圧を更新する更新手段とを具備した平面表示装置が提供される。
【０００９】
また本発明によれば、複数の表示画素をマトリクス状に配置した表示パネルと、前記表示パネルに配置された複数の表示画素を走査線と信号線の駆動電圧および前記複数の表示画素に印加したアノード電圧により発光駆動させる駆動回路とを備えた表示装置の輝度制御方法であって、前記表示パネルの駆動時間が予め設定された時間に達したとき、前記アノード電圧を上げて前記表示パネルの輝度劣化を補償する表示装置の輝度制御方法が提供される。
【００１０】
また本発明によれば、複数の表示画素をマトリクス状に配置した表示パネルと、前記表示パネルに配置された複数の表示画素を走査線と信号線の駆動電圧および前記複数の表示画素に印加したアノード電圧により発光駆動させる駆動回路とを備えた表示装置の輝度制御方法であって、前記アノード電圧を更新する時間および前記アノード電圧の補正値を保持する手段と、前記表示パネルの累積駆動時間を取得し、当該取得した前記表示パネルの累積駆動時間と前記保持した時間とを比較して、前記表示パネルの累積駆動時間が前記保持した時間に達したことを判定する手段と、前記判定に従い前記保持した補正値をもとに前記アノード電圧を上げて前記表示パネルの輝度劣化を補償する手段とを具備した表示装置の輝度制御方法が提供される。
【発明の効果】
【００１１】
長時間の駆動による表示輝度の劣化を回路上で改善したことにより、経済的に有利な構成で長時間に亘り安定した表示輝度特性を維持することができ、長寿命化を図ることができる。
【発明を実施するための最良の形態】
【００１２】
以下、本発明の一実施形態に係る平面表示装置について添付図面を参照して説明する。ここではカラー表示画素数が横：縦＝１２８０：７２０というＸＧＡ解像度の電子放出素子を備えたＳＥＤを例に採る。
【００１３】
図１はこの平面表示装置の回路構成を概略的に示す。平面表示装置は、表示パネル１、画像電圧ドライバ（Ｘドライバ）２、走査電圧ドライバ（Ｙドライバ）３、入力信号処理回路５、電源制御部６等を備える。
【００１４】
表示パネル１は、横（水平）方向に配されたｍ（＝７２０）本の走査線Ｙ（Ｙ１〜Ｙｍ）と、これら走査線Ｙ１〜Ｙｍに交差して縦（垂直）方向に配されたｎ（＝１２８０×３）本の信号線Ｘ（Ｘ１〜Ｘｎ）と、これら走査線Ｙ１〜Ｙｍおよび信号線Ｘ１〜Ｘｎの交差位置近傍に配置されて表示画面を構成するｍ×ｎ（＝約２７６万）個の表示画素ＰＸとを支持基板上に有する。
【００１５】
各カラー表示画素は水平方向において隣接する３個の表示画素ＰＸにより構成される。このカラー表示画素では、３個の表示画素ＰＸがそれぞれ電子放出源となる電子放出素子１１およびこれら電子放出素子１１から放出される電子ビームにより発光する赤（Ｒ）、緑（Ｇ）、および青（Ｂ）の蛍光体１２により構成される。すなわち蛍光体スクリーンの各表示画素と電子放出源とは一対一に対応している。各走査線Ｙは対応行の表示画素ＰＸの電子放出素子１１に接続される走査電極として用いられ、各信号線Ｘは対応列の表示画素ＰＸの電子放出素子１１に接続される信号電極として用いられる。
【００１６】
Ｘドライバ２、Ｙドライバ３、入力信号処理回路５、および電源制御部６はそれぞれ表示パネル１に対する表示用駆動回路として用いられ、表示パネル１の周囲に配置される。Ｘドライバ２は信号線Ｘ１〜Ｘｎに接続され、Ｙドライバ３は走査線Ｙ１〜Ｙｍに接続される。
【００１７】
入力信号処理回路５は１水平ライン分の映像信号を一時記憶するラインメモリを有して外部の信号源から供給されるＲＧＢ映像信号および同期信号の入力処理を行う。入力信号処理回路５は上記ラインメモリに一時記憶した映像信号をＸドライバ２に供給し、同期信号（垂直同期信号および水平同期信号）に従う動作タイミング信号をＸドライバ２とＹドライバ３に供給する。
【００１８】
電源制御部６は外部電源をもとに表示パネル１を含む表示装置全体の動作用電源を生成し供給制御するもので、マイクロプロセッサによるプログラム制御機能を有する。電源制御部６は表示パネル１の駆動用電源として、表示パネル１に、上述したアノード電圧（ａｎｏｄｅ）に加え、Ｘドライバ２およびＹドライバ３に駆動電圧（ＶＤｘ，ＶＤｙ）を供給する。Ｘドライバ２には信号線Ｘ１〜Ｘｎを駆動するための信号用の駆動電圧（ＶＤｘ）を供給し、Ｙドライバ３には走査線Ｙ１〜Ｙｍを駆動するための走査用の駆動電圧（ＶＤｙ）を供給する。
【００１９】
Ｙドライバ３は上記電源制御部６から供給された走査用の駆動電圧（ＶＤｙ）と上記入力信号処理回路５から入力した動作タイミング信号とをもとに走査線Ｙ１〜Ｙｍを順次駆動し、Ｘドライバ２は上記電源制御部６から供給された信号用の駆動電圧（ＶＤｘ）と上記入力信号処理回路５から入力した１水平ライン分の映像信号および動作タイミング信号とをもとに、走査線Ｙ１〜Ｙｍの各々がＹドライバ３によって駆動される間に入力信号処理回路５から出力される１水平ライン分の映像信号に対応して信号線Ｘ１〜Ｘｎを駆動する。尚、上記Ｘドライバ２は、映像信号に従い電位が変化する信号を駆動電圧（ＶＤｘ）として出力する構成と、映像信号の階調に従うパルス幅の駆動電圧（ＶＤｘ）を出力する構成とがあるが、本発明はそのいずれの構成に於いても適用可能である。
【００２０】
本発明は表示パネル１の長期間使用による輝度劣化をアノード電圧を増加し更新することにより補償している。この輝度劣化を補償する機能を実現するため、上記電源制御部６は、本発明の実施形態に於いて、図３に示す初期化処理ルーチンに含まれる表示パネル管理処理ルーチン２０と、図４に示すパネル管理テーブル３１と、パネル駆動時間累積カウンタ（図示せず）とを有する。
【００２１】
図３に示す表示パネル管理処理ルーチン２０は、図１および図２に示す平面表示装置を用いる、例えばテレビジョン装置本体等の電源投入に伴う動作開始時、すなわち表示パネル１の起動（パワーオン）時に実行される。
【００２２】
図４に示すパネル管理テーブル３１には、図示するように、予め設定された、輝度劣化を補償する時期、すなわち上記アノード電圧（ａｎｏｄｅ）を増加し更新するタイミングを示す更新時間と、その更新を行うアノード電圧（ａｎｏｄｅ）の補正値とがそれぞれ複数回に亘る更新分、設定され保持される。上記したパネル管理テーブル３１および図示しないパネル駆動時間累積カウンタは不揮発性のメモリ領域に設けられてもよいし、起動時にＲＴＣメモリ等の不揮発性メモリから読み出されて所定のレジスタ領域にセットされるものであってもよい。尚、ここでは平面表示装置内の電源制御部６にパネル駆動時間累積カウンタを設けて、電源制御部６が表示パネル１の累積駆動時間をカウントし管理する構成としているが、例えば図１に示す平面表示装置を用いるテレビジョン装置本体側に動作時間を累積し管理するカウンタを設けて、装置の起動時に、このカウンタから累積されたパネル駆動時間を取得する構成であってもよく、この際は上記パネル駆動時間累積カウンタを電源制御部６に設けなくともよい。
【００２３】
電源制御部６は、平面表示装置の起動（パワーオン）時に於いて、平面表示装置の各コンポーネントを駆動する動作用電源を生成し、平面表示装置の各コンポーネントに供給制御する。電源制御部６は表示パネル１の駆動用電源として、表示パネル１に、上述したアノード電圧（ａｎｏｄｅ）に加え、Ｘドライバ２およびＹドライバ３に駆動電圧（ＶＤｘ，ＶＤｙ）を供給する。この際、Ｙドライバ３には、例えば１０Ｖ程度の走査用駆動電圧（ＶＤｙ）を供給する。Ｙドライバ３は上記電源制御部６から供給された走査用の駆動電圧（ＶＤｙ）と上記入力信号処理回路５から入力した動作タイミング信号とをもとに走査線Ｙ１〜Ｙｍを順次駆動し、Ｘドライバ２は上記電源制御部６から供給された信号用の駆動電圧（ＶＤｘ）と上記入力信号処理回路５から入力した１水平ライン分の映像信号および動作タイミング信号とをもとに、走査線Ｙ１〜Ｙｍの各々がＹドライバ３によって駆動される間に入力信号処理回路５から出力される１水平ライン分の映像信号に対応して信号線Ｘ１〜Ｘｎを駆動する。これにより、表示パネル１には、例えば外部の信号源から供給されるＲＧＢ映像信号に従う横×縦比が１２８０×７２０のカラー表示画素でなるＸＧＡ解像度の表示画像が表示される。
【００２４】
上記した表示パネル１の構成例を図２に示している。図２はＳＥＤに於ける表示パネル１の要部の構成要素を示したもので、ＳＥＤの表示パネル１を構成する真空外囲器は、表示面となる前面基板１０Ａと電子放出側となる背面基板１０Ｂとを有する。この前面基板１０Ａおよび背面基板１０Ｂは、それぞれ矩形のガラス板により構成される。前面基板１０Ａと背面基板１０Ｂは約１．０〜２．０ｍｍの隙間をおいて互いに平行に対向配置されている。前面基板１０Ａおよび背面基板１０Ｂは、図示しないガラスからなる矩形枠状の側壁を介して周縁部同志が接合され、内部が真空の扁平な平面パネル構造の真空外囲器を構成している。
【００２５】
前面基板１０Ａの内面には画像表示面として機能する蛍光体スクリーン１２Ａが形成されている。この蛍光体スクリーン１２Ａは、赤、青、緑の蛍光体層Ｒ、Ｇ、Ｂ、および遮光層Ｓを並べて構成され、これらの蛍光体層はストライプ状あるいはドット状に形成されている。また、蛍光体スクリーン１２上には、アルミニウム等からなるメタルバック１４が形成されている。
【００２６】
背面基板１０Ｂの内面には、蛍光体スクリーン１２Ａの蛍光体層Ｒ、Ｇ、Ｂを励起発光させるための電子を放出する電子放出源として、それぞれ電子ビームを放出する多数の表面伝導型の電子放出素子１１が設けられている。これらの電子放出素子１１は、画素毎、すなわち蛍光体層Ｒ、Ｇ、Ｂ毎に対応して複数列および複数行に配列されている。各電子放出素子１１は、図示しない電子放出部、この電子放出部に電圧を印加する一対の素子電極等で構成されている。また、背面基板１０Ｂの内面上には、各電子放出素子１１に駆動電圧を与えるための多数本の配線Ｃがマトリックス状に設けられ、その端部は真空外囲器の外部に引き出されている。前面基板１０Ａと背面基板１０Ｂとの間には、薄いガラス板を用いたスペーサＳＰが複数配設される。これら複数のスペーサＳＰは、前面基板１０Ａおよび背面基板１０Ｂの外側から作用する大気圧荷重を支持し、基板間の間隔を所定値に維持している。前面基板１０Ａに設けられたメタルバック１４と背面基板１０Ｂとの間にアノード電圧（ａｎｏｄｅ）を印加する図示しない電圧供給部を備えている。電圧供給部は、例えば、背面基板１０Ｂの電位を０Ｖに設定し、メタルバック１４の電位を１０ｋＶ程度の高電圧にするよう、背面基板１０Ｂに対しメタルバック１４にアノード電圧（ａｎｏｄｅ）を印加する。
【００２７】
上記ＳＥＤの表示パネル１において、画像を表示する場合、配線Ｃに接続した図示しない駆動回路を介して電子放出素子１１の素子電極間に所定の駆動電圧を与え、任意の電子放出素子１１の電子放出部から電子ビームを放出するとともに、メタルバック１４にアノード電圧（ａｎｏｄｅ）を印加する。電子放出素子１１の電子放出部から放出された電子ビームは、アノード電圧（ａｎｏｄｅ）により加速され、蛍光体スクリーン１２Ａの対応する蛍光体層に衝突する。これにより、蛍光体スクリーン１２Ａの蛍光体層Ｒ、Ｇ、Ｂが励起されて発光し、カラー画像を表示する。尚、この際、表示パネル１に表示されるカラー画像の各階調は配線電圧に含まれる、映像信号に従いパルス変調された信号用駆動電圧の幅（パルス幅）、若しくは配線電圧の値で決まる。
【００２８】
上記ＳＥＤの表示パネル１に於けるアノード電圧（陽極電圧）と表示輝度との関係を図５に例示している。この図５に示す輝度−陽極電圧特性を用いて、上記表示パネル１に印加されるアノード電圧（ａｎｏｄｅ）を初期設定する。ここでは表示輝度を１００％とする、約１０ＫＶが初期値として表示パネル１に設定されるものとする。この初期設定されたアノード電圧（ａｎｏｄｅ）を表示パネル１の累積駆動時間に応じて段階的に上げてゆく。このアノード電圧（ａｎｏｄｅ）の更新時間および更新する電圧値は上記したパネル管理テーブル３１に設定されるもので、例えば１回の更新毎に更新時間および補正電圧値を変えても良いし、一定時間単位の各更新毎に同じ補正電圧で更新してもよい。この際の更新可能なアノード電圧の値は表示パネル各々の構成、仕様等によって一概に決めることはできないが、この実施形態では一例として上記した約１０ＫＶを初期設定値として最大１２ＫＶまで段階的に上げてゆくものとする。このアノード電圧の段階的な更新で表示パネル１の輝度を改善した場合と、アノード電圧を更新（可変）しない（アノード電圧を固定）場合の各累積駆動時間に対する輝度保持率をそれぞれ図６に示している。図６に示す［Ａ］はアノード電圧を更新（可変）しない（アノード電圧を固定）場合の累積駆動時間に対する輝度保持率、［Ｂ］はアノード電圧を段階的に更新した場合の累積駆動時間に対する輝度保持率を示している。またＴａ，Ｔｂ，Ｔｃ，Ｔｄはそれぞれパネル管理テーブル３１に設定した更新時間である。図６に於いて輝度保持率６０％を表示パネル１の寿命として捉えると、アノード電圧を段階的に更新することによって、アノード電圧を固定したパネル駆動よりも寿命を延ばすことができる。このように、アノード電圧が限界値に達するまで徐々に増加させて表示パネル１の長期間使用による輝度劣化を補うことにより、表示パネル１の使用限界を延長して、表示パネル１を長期間に亘り有効に使用できる。このアノード電圧の段階的な更新処理は電源制御部６のプログラム処理により実現される。
【００２９】
電源制御部６は上記平面表示装置の起動（パワーオン）時に於いて、図３に示す初期化処理ルーチンに含まれる表示パネル管理処理ルーチン２０を実行する。
【００３０】
この処理は、まずパネル駆動時間累積カウンタから表示パネル１の累積駆動時間を取得し（ステップＳ１０）、パネル管理テーブル３１から初回（第１回目）の更新時間（例えば３０００Ｈ）を取得する（ステップＳ１１）。
【００３１】
上記パネル管理テーブル３１から取得した更新時間（例えば３０００Ｈ）と、パネル駆動時間累積カウンタに保持された表示パネル１の累積駆動時間とを比較し（ステップＳ１２）、上記表示パネル１の累積駆動時間が上記更新時間と等しいとき若しくは上記更新時間を超えているとき、表示パネル１の累積駆動時間が第１回目の更新時間（３０００Ｈ）に達していると判定する（ステップＳ１２  Ｙｅｓ）。また上記表示パネル１の累積駆動時間が、設定された更新時間に達していないとき（ステップＳ１２  Ｎｏ）は、この表示パネル管理処理ルーチン２０を終了する。
【００３２】
表示パネル１の累積駆動時間が設定された更新時間に達していると判定した際（ステップＳ１２  Ｙｅｓ）は、パネル管理テーブル３１から上記初回（第１回目）の更新時間に対応して設定された補正電圧値を取得して（ステップＳ１３）、この補正電圧値をもとに表示パネル１に印加されるアノード電圧（ａｎｏｄｅ）を増加し、以後の表示パネル１に印加されるアノード電圧（ａｎｏｄｅ）を更新する（ステップＳ１４）。この際の更新タイミングおよびアノード電圧（ａｎｏｄｅ）の更新による輝度保持率の改善状態を図６にタイミングＴａで示している。上記アノード電圧（ａｎｏｄｅ）の更新に伴い、パネル管理テーブル３１に設定された第１回目の更新時間を無効にし、次に第２回目の更新時間を有効にする（ステップＳ１５）。このテーブル上のデータ選択操作は、例えばパネル管理テーブル３１上の各設定領域をポインタで指定して有効／無効領域を切り替える手段、若しくは更新済の情報（更新時間および補正電圧値）を削除する手段のいずれかを用いて実現される。
【００３３】
上記第１回目の更新後は、次の上記平面表示装置の起動（パワーオン）時に於いて、再び上記表示パネル管理処理ルーチン２０を実行し、パネル管理テーブル３１から第２回目の更新時間（例えば６０００Ｈ）を取得して、このパネル管理テーブル３１から取得した更新時間（６０００Ｈ）と、パネル駆動時間累積カウンタに保持された表示パネル１の累積駆動時間とを比較し（ステップＳ１０〜Ｓ１２）、上記表示パネル１の累積駆動時間が上記更新時間と等しいとき若しくは上記更新時間を超えているとき、表示パネル１の累積駆動時間が第２回目の更新時間（６０００Ｈ）に達していると判定する（ステップＳ１２  Ｙｅｓ）。
【００３４】
このような処理を繰り返し実行することで、長期間に亘る稼働の中で、複数回に亘り、その都度、表示パネル１に印加されるアノード電圧（ａｎｏｄｅ）を更新し、その更新の都度、表示パネル１の表示輝度が改善される。
【００３５】
このように、表示パネル１の長期間駆動による表示輝度の劣化を、表示パネル１に印加されるアノード電圧（ａｎｏｄｅ）を上げ、回路上で改善したことにより、経済的に有利な構成で、長時間に亘り安定した表示輝度特性を維持することができる。
【００３６】
なお、上述した実施形態ではＳＥＤを対象に、表示輝度の改善を行っているが、ＳＥＤに限らず、例えばＦＥＤ等の画像表示装置に於いても本発明を適用可能である。また本発明は上述した実施の形態そのままに限定されるものではなく、実施段階ではその要旨を逸脱しない範囲で構成要素を変形して具体化できる。
【図面の簡単な説明】
【００３７】
【図１】本発明の実施形態に係る平面表示装置の構成を示すブロック図。
【図２】上記実施形態に於ける表示パネルの要部の構成を示す断面図。
【図３】上記実施形態に於ける表示パネル管理処理ルーチンの処理手順を示すフローチャート。
【図４】上記実施形態に於けるパネル管理テーブルの構成を示す図。
【図５】上記実施形態に於ける表示パネルのアノード電圧（陽極電圧）と表示輝度との関係を示す図。
【図６】上記実施形態に於けるアノード電圧の段階的な更新で表示パネルの輝度を改善した場合とアノード電圧を固定した場合の累積駆動時間に対する輝度保持率を示す図。
【符号の説明】
【００３８】
１…表示パネル、２…Ｘドライバ、３…Ｙドライバ、５…入力信号処理回路、６…電源制御部、１０Ａ…前面基板、１０Ｂ…背面基板、１１…表面伝導型電子放出素子、１２…蛍光体、１２Ａ…蛍光体スクリーン、１４…メタルバック、３１…パネル管理テーブル、Ｘ…信号線、Ｙ…走査線、ＰＸ…表示画素。
【図１】
2006091787.tif 000003
【図２】
2006091787.tif 000004
【図３】
2006091787.tif 000005
【図４】
2006091787.tif 000006
【図５】
2006091787.tif 000007
【図６】
2006091787.tif 000008